(57)【特許請求の範囲】
【請求項１】
操作禁止対象物に対して着脱自在に装着されることによって操作禁止に係る事項を表示する表示板であって、
操作禁止に係る事項が記載される表示部を有するとともに、幅方向両端部が背面側に屈曲形成された概略コ字状の表示部本体と、該表示部本体の両端縁に取り付けられた磁石と、を備え、
前記表示部本体を、幅方向に分割された少なくとも２つの部分から構成して、該２つの部分を互いに伸縮自在に構成したことを特徴とする表示板。
【請求項２】
操作禁止対象物に対して着脱自在に装着されることによって操作禁止に係る事項を表示する表示板であって、
操作禁止に係る事項が記載される表示部を有するとともに、幅方向両端部が背面側に屈曲形成された概略コ字状の表示部本体と、付勢部材と、を備え、
前記表示部本体を、幅方向に分割された少なくとも２つの部分から構成して、該２つの部分を互いに伸縮自在に構成し、該２つの部分を互いに近接する方向へ常時弾性付勢する前記付勢部材により接続したことを特徴とする表示板。
【請求項３】
前記表示部本体の両端部に、前記表示部の背面側に夫々出没自在に支持された脚部材を備えたことを特徴とする請求項１又は２に記載の表示板。
【発明の詳細な説明】
【技術分野】
【０００１】
本発明は、操作禁止等を表示するために操作禁止対象物に対して装着される表示板に関し、さらに詳しくは、操作禁止対象物に確実に装着可能な表示板の構成技術に関するものである。
【背景技術】
【０００２】
従来から発変電所等の中央制御室および継電器室には、各制御対象機器からの情報を集中管理するために、多数のメータ、リレー、スイッチ等が操作盤等の盤面に配列されている。これらの機器類は、高い信頼性が要求されるため、定期的にメンテナンスが実施される。特に発変電所等では、供給信頼度等を考慮して停止することが難しい発変電設備があるため、稼動状態でメンテナンスを行う場合がある。このようなときに誤って機器類が操作されるのを防止するために、操作を禁止すべきスイッチ、リレー等の操作対象物には、目立つ色のビニールテープを貼り付けて操作禁止であることを表示していた。
従来技術として特許文献１には、情報表示が施された再帰反射性を有する前面部と、取付部が設けられた背面部とを備えた情報表示板を、前記取付部により既設の道路付帯設備に後付ける情報表示板の設置方法について開示されている。
【先行技術文献】
【特許文献】
【０００３】
【特許文献１】特開２００１−２０７４１７公報
【発明の概要】
【発明が解決しようとする課題】
【０００４】
しかしながら、従来の目立つ色のテープ等を用いた使用禁止の表示方法では、途中でテープの粘着力が低下してテープが剥がれ、作業対象箇所を誤認するといった問題がある。
また、特許文献１に開示されている従来技術においては、既設の道路付帯設備に情報表示板を後付けすることは可能であるが、取り付け部にボルトにより取り付けなければならず、工具が必要であり、取り付け又は取り外しに手間と時間が掛かるといった煩わしさがある。
本発明は、かかる課題に鑑みてなされたものであり、表示板を磁力、又は弾性付勢力により操作対象物に取り付けるようにして、取り付け又は取り外しを容易にすると共に取り付け後のずれを防止し、且つ繰り返し使用を可能とした表示板を提供することを目的とする。
【課題を解決するための手段】
【０００５】
本発明はかかる課題を解決するために、請求項１は、操作対象物に対して着脱自在に装着されることによって操作に係る事項を表示する表示板であって、操作禁止に係る事項が記載される表示部を有するとともに、幅方向両端部が背面側に屈曲形成された概略コ字状の表示部本体と、該表示部本体の両端縁に取り付けられた磁石と、を備え、前記表示部本体を、幅方向に分割された少なくとも２つの部分から構成して、該２つの部分を互いに伸縮自在に構成したことを特徴とする。
本発明では、両方の端部に磁石を取り付けて、固定するときは操作対象物を跨ぐように磁石で固定するものである。これにより、脱落を防止して更に安定して固定することができる。
【０００６】
また、操作対象物の大きさは各種ある。また、どの操作対象物に装着するかは事前に分からないため、各操作対象物毎のサイズに合わせて個別に表示板を作ったのでは、種類が多くなり且つ不経済である。そこで本発明では、表示部本体を少なくとも２つの部分から構成して伸縮自在にするものである。これにより、最小限の種類により、サイズの異なる操作対象物に対応することができる。
請求項２は、操作対象物に対して着脱自在に装着されることによって操作に係る事項を表示する表示板であって、操作禁止に係る事項が記載される表示部を有するとともに、幅方向両端部が背面側に屈曲形成された概略コ字状の表示部本体と、付勢部材と、を備え、前記表示部本体を、幅方向に分割された少なくとも２つの部分から構成して該２つの部分を互いに伸縮自在に構成し、該２つの部分を互いに近接する方向へ常時弾性付勢する前記付勢部材により接続したことを特徴とする。
操作対象物を保持する板が必ずしも金属であるとは限らない場合がある。そのようなとき、磁石で固定することはできない。そこで本発明では、表示部本体を少なくとも２つの部分から構成して伸縮自在に構成し、この２つの部分を付勢部材により接続するものである。これにより、２つの部分は付勢部材により挟む応力が発生するので、この応力を利用して操作対象物を挟んで固定することができ、材質を問わず表示部本体を固定することができる。
【０００７】
請求項３は、前記表示部本体の両端部に、前記表示部の背面側に夫々出没自在に支持された脚部材を備えたことを特徴とする。
表示部本体の両端部に磁石を取り付けた構成の表示板では、操作対象物に跨ぐように取り付けるため、操作対象物の厚み（高さ）が大きい場合、磁石が板金に届かないおそれがある。そこで本発明では、磁石を取り付けた脚部材を出没自在にして、操作対象物の厚みにより調整するものである。これにより、操作対象物の厚みが異なっていても、臨機応変に対応することができる。
【発明の効果】
【００１２】
本発明によれば、操作禁止対象物に対して着脱自在に装着されることによって操作禁止に係る事項を表示する表示板であって、操作禁止に係る事項が記載される表示部を有するとともに、幅方向両端部が背面側に屈曲形成された概略コ字状の表示部本体を備え、表示部本体を、幅方向に分割された少なくとも２つの部分から構成して、その２つの部分を互いに伸縮自在に構成したので、操作対象物毎のサイズに合わせて表示部本体の幅方向長を調整でき、最小限の種類により、サイズの異なる操作対象物に対応することができる。
【図面の簡単な説明】
【００１３】
【図１】本発明の第１の実施形態に係る表示板の外観構成図である。
【図２】本発明の第２の実施形態に係る表示板の外観構成図である。
【図３】本発明の第３の実施形態に係る表示板の外観構成図である。
【図４】本発明の第４の実施形態に係る表示板の外観構成図である。
【図５】本発明の第５の実施形態に係る表示板の外観構成図である。
【図６】本発明の第６〜８の実施形態に係る表示板の外観構成図である。
【図７】本発明の第９の実施形態に係る表示板の外観構成図である。
【図８】本発明の第１０の実施形態に係る表示板の外観構成図である。
【図９】本発明の実施形態に係る表示部の外観構成図である。
【図１０】本発明の実施形態に係る表示部の外観構成図である。
【発明を実施するための形態】
【００１４】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の第１の実施形態に係る表示板の外観構成図である。この表示板１００は、例えば計器類（操作対象物）１に対して着脱自在に装着されることによって操作に係る事項を表示する表示板であって、Ｌ字状の表示部本体２と、磁石３と、を備え、表示部本体２の端部２ｂに磁石３を取り付けたものである。即ち、表示部本体２の表示面２ａには、例えば、「運転中」といった表示内容５が表示されている。従って、計器類１に取り付ける時は、表示面２ａが正面から見えるようにして、表示部本体２の端部２ｂに取り付けられている磁石３が板金４に吸着するように装着する。
本実施形態は、最もシンプルな形状を有する表示板１００である。即ち、形状をＬ字状として、一方の端部２ｂに磁石３を備え、その磁石３を計器類１を保持する板金４に吸着して固定するものである。これにより、計器類１を保持する材質が金属の場合に、簡単に取り付けることができ、且つ安定して固定することができる。
【００１５】
図２は本発明の第２の実施形態に係る表示板の外観構成図である。図２（ａ）の表示板１１０は、コ字状の表示部本体６と、磁石７と、を備え、表示部本体６の両端部６ｂ、６ｃに磁石７ａ、７ｂを取り付けたものである。この実施形態では、表示内容８を大きく表示するために、Ｔ字型の表示部本体６を備えている。また、図２（ｂ）は表示板１１０を板金４に磁石７により吸着した状態を示す側面図である。図２（ｃ）は表示内容を表示部本体９に表示したものである。図２（ｄ）は表示板１２０を板金４に磁石７により吸着した状態を示す側面図である。
即ち、１箇所の磁石で表示板を固定した場合（図１参照）、一方がフリーとなるため、その部分に接触したときに表示板２を脱落させる虞がある。そこで本実施形態では、両方の端部６ｂ、６ｃ又は９ｂ、９ｃに磁石７ａ、７ｂを取り付けて、固定するときは計器類１を跨ぐように磁石７ａ、７ｂで固定するものである。これにより、更に安定して固定することができる。
【００１６】
図３は本発明の第３の実施形態に係る表示板の外観構成図である。この表示板１３０は、表示部本体を１１と１３の２つの部分から構成して互いに伸縮自在に構成したものである。この実施形態では、表示部本体１１の表面部１１ａを袋状にしてその中に表示部本体１３の表面部１３ａを挿入可能に構成したものである。従って、計器類１０に装着する場合は、図３（ａ）のように、表示部本体１３の表面部１３ａを矢印Ａの方向に引き抜いて計器類１０を跨ぐように延ばして固定する。図３（ｂ）は表示板１３０を板金１４に磁石７により吸着した状態を示す側面図である。そして、装着が終了してしまうときは、図３（ｃ）のように表示部本体１３の表面部１３ａを矢印Ｂの方向に収納する。
即ち、計器類１０の大きさは各種ある。また、どの計器類に装着するかは事前に分からないため、各計器類毎のサイズに合わせて個別に表示板を作ったのでは、種類が多くなり且つ不経済である。そこで本実施形態では、表示部本体を少なくとも２つの部分１１と１３に分割して伸縮自在にするものである。これにより、最小限の種類により、サイズの異なる計器類に装着することができる。
【００１７】
図４は本発明の第４の実施形態に係る表示板の外観構成図である。この表示板１４０は、コ字状の表示部本体１５、１８と、スプリング（付勢部材）１７と、を備え、表示部本体を２つの部分１５と１８から構成して互いに伸縮自在に構成し、この２つの部分１５、１８をスプリング１７により接続したものである。この実施形態では、表示部本体１５の表面部１５ａを袋状にしてその中に表示部本体１８の表面部１８ａを挿入可能に構成し、スプリング１７により表面部１５ａと表面部１８ａを接続したものである。図４（ａ）は計器類１９に装着する前の状態を示す図であり、この状態では、スプリング１７は表面部１８ａを矢印Ａの方向に引き付ける力が働いているので、表面部１８ａは表面部１５ａ内に収納されている。図４（ｂ）のように、表示部本体１８の表面部１８ａを矢印Ｂの方向に引っ張り、計器類１９を跨ぐように延ばして計器類１９の端部に引っ掛けて固定する。図４（ｃ）は表示板１４０を計器類１９にスプリング１７により固定した状態を示す側面図である。この図から明らかなように、スプリング１７により端部１５ｂ、１８ｂが計器類１９の側面に引っかかることにより、矢印Ｃの方向に働く応力により固定される。また、図４（ｄ）の表示板２１０のように、スプリングの変わりにゴム材５５により端部５３、５４が計器類２０の側面に引っかかることにより、矢印Ｃの方向に働く応力により固定されるようにしても構わない。尚、付勢力を発生する部材として、スプリング、ゴム以外のプラスチックや鋼板等の弾性部材でも構わない。
即ち、計器類１９を保持する板２０が必ずしも金属であるとは限らない場合がある。そのようなとき、磁石で固定することはできない。そこで本実施形態では、表示部本体を少なくとも２つの部分１５、１８に分割して伸縮自在に構成し、この２つの部分１５、１８をスプリング１７により接続するものである。これにより、２つの部分１５、１８はスプリング１７により挟む応力が発生するので、この応力を利用して計器類１９を挟んで固定することができ、材質を問わず表示板１４０を固定することができる。
【００１８】
図５は本発明の第５の実施形態に係る表示板の外観構成図である。この表示板１５０は、コ字状の表示部本体の２つの端部２５ｂ、２６ｂによって出没自在に支持された脚部材２５ｃ、２６ｃを備えたものである。本実施形態は、図２及び図３に示す表示板の高さ方向を可変とするものである。即ち、表示部本体２５、２６の端部２５ｂ、２６ｂを袋状にしてその中に脚部材２５ｃ、２６ｃを挿入可能に構成したものである。尚、図１の端部２ｂを本実施形態のように伸縮自在に構成しても構わない。
図５（ａ）のように、計器類１０の高さが低い場合は、脚部材２５ｃ、２６ｃは端部２５ｂ、２６ｂに収納された状態であり、図５（ｂ）のように計器類１０の高さが高い場合は、脚部材２５ｃ、２６ｃは端部２５ｂ、２６ｂから引き抜かれた状態で装着される。
このように、表示部本体の両端部に磁石を取り付けた構成の表示板では、計器類１０を跨ぐように取り付けるため、計器類１０の厚み（高さ）が大きい場合（図５（ｂ））、磁石７ａ、７ｂが板金１４に届かないおそれがある。そこで本実施形態では、磁石７ａ、７ｂを取り付けた脚部材２５ｃ、２６ｃを出没自在にして、計器類１０の厚みにより調整するものである。これにより、計器類１０の厚みが異なっていても、臨機応変に対応することができる。
【００１９】
図６（ａ）は本発明の第６の実施形態に係る表示板の外観構成図である。この表示板１６０は、支点３２から折り曲げ自在な部材３１の両端部に磁石７ａ、７ｂを備え、部材３１の適所（略中央部）に表示部３０を備えた構成である。この表示板１６０の特徴は、部材３１を直線状に延ばした場合に最大幅となり、全ての部材を折り畳んだ場合に最小幅となる。
図６（ｂ）は本発明の第７の実施形態に係る表示板の外観構成図である。この表示板１７０は、例えば、図２（ｃ）に示す表示部本体と同じ形状の表示部本体３５を略中央部の折り畳部３６から折り畳む構成としたものである。図６（ｂ−１）は折り畳む前の状態を表し、図６（ｂ−２）は折り畳部３６から矢印Ａの方向に折り畳んだ場合の図である。
図６（ｃ）は本発明の第８の実施形態に係る表示板の外観構成図である。この表示板１８０は、例えば、図２（ｃ）に示す表示部本体と同じ形状の表示部本体３５の略中央部に支点３７を設け、その支点３７から折り曲げる構成としたものである。図６（ｃ−１）は折り曲げる前の状態を表し、図６（ｃ−２）は支点３７から矢印Ａの方向に折り曲げた場合の図である。
【００２０】
図７は本発明の第９の実施形態に係る表示板の外観構成図である。この表示板１９０は、表示部本体４１に表示内容を表示する表示部４０を備え、表示部４０は表示部本体４１に対して折り曲げ自在に構成されている。即ち、表示部本体４１の適所に支点４３により折り曲げ自在に取り付けられた表示部４０を取り付け、計器類に装着した場合に、表示部４０を矢印Ａの方向に立ち上げて、固定する。図７（ａ）は装着時の状態を示す図であり、図７（ｂ）は装着が終了して折り曲げた場合の図である。
表示部本体４１に表示内容を表示しても良いが、表示内容を目立たせるためには表示部本体を大きくしなければならず、全体の大きさが大きくなってしまう。そこで本実施形態では、表示内容を表示する表示部４０を別途備え、その表示部４０を折り曲げ自在にしたものである。これにより、表示部本体４１の大きさを大きくすることなく、表示を目立たせることができる。
【００２１】
図８は本発明の第１０の実施形態に係る表示板の外観構成図である。この表示板２００は、表示部４５を表示部本体４６に対してスライド自在に構成するものである。図８（ａ）は表示部４５を矢印Ａの方向にスライドした図である。この場合、計器類４９の中心部４８に対して右側にずれている。そこで図８（ｂ）のように表示部４５を矢印Ｂの方向にスライドして、計器類４９の中心部４８の位置に表示部４５が位置するように設定したものである。
即ち、表示部４５が表示部本体４６に固定されていた場合、所定の幅を有する計器類に装着したときに、必ずしも表示部４５がその計器類の中心部４８に位置するとは限らない場合がある。そこで本実施形態では、表示部４５を計器類４９の中心部４８に位置するように表示部本体４６に対してスライド自在に構成するものである。これにより、表示部４５を必ず計器類４９の中心部４８に位置させることができる。
【００２２】
図９は本発明の実施形態に係る表示部の外観構成図である。この表示部５０は、表示部５０に表示内容を記載した表示片５１を収納する収納部５２を備えたものである。表示内容は装着する計器類により異なる場合がある。そのとき表示部５０に表示する内容が固定されると、その都度別の表示内容の表示板を用意しなければならない。そこで本実施形態では、表示部５０に表示片５１を収納する収納部５２を備え、その表示片５１の内容を変更するようにする。これにより、表示片５１を変更するだけで同じ表示板を共用することができる。
また、表示内容は文字により表示するのが一般的であるが、直感的に認識することができない場合がある。そこで、表示内容が事前に判明しているときは、色により表示した方が分かりやすい場合がある。そこで、表示内容を色又は文字により表示するものである。これにより、表示内容に応じて何れかを選択することができる。
尚、以上で説明した各実施形態の表示板は、折り畳み又は折り曲げ自在に構成されるのは言うまでもない。
【００２３】
図１０は本発明の実施形態に係る表示部の外観構成図である。図１０（ａ）は側面図、図１０（ｂ）は上面図である。この表示板２２０は、帯状の表示部本体６０と、この表示部本体６０を収納する収納容器６１と、磁石７ａ、７ｂと、を備え、表示部本体６０の端部及び収納容器６１の端部に夫々磁石７ａ、７ｂを取り付け、表示部本体６０が収納容器６１内に巻き取り可能に構成されている。そして表示部本体６０の表面に例えば「運転中」の表示を印刷しておく。これにより、操作対象物６２の大きさが変化しても臨機応変に対応することができる。尚、操作対象物６２の大きさによっては、表示の位置が必ずしも適切な位置に来ない場合を考慮して、表示を後から貼り付けられるように構成しても良い。また、巻き取り方法は、手動により巻き取る方法でも、表示部本体の材質を弾性部材として自動的に巻き取る方法でも良い。
【符号の説明】
【００２４】
１  計器類、２  表示部本体、３  磁石、４  板金、２ａ  表示面、２ｂ  端部、１００  表示板
【図１】
0005127994.tif 000002
【図２】
0005127994.tif 000003
【図３】
0005127994.tif 000004
【図４】
0005127994.tif 000005
【図５】
0005127994.tif 000006
【図６】
0005127994.tif 000007
【図７】
0005127994.tif 000008
【図８】
0005127994.tif 000009
【図９】
0005127994.tif 000010
【図１０】
0005127994.tif 000011